(57)【要約】      （修正有）【課題】吸込用配管部を容易に変形可能に構成し、且つ、その変形状態を長時間にわたって安定した状態で保持可能とし、それによって、作業効率及び作業環境の向上を図ることができる集塵用吸込具と集塵機を提供する。【解決手段】一端に集塵用吸込口としての吸込フード７３を有する変形可能な吸込用配管部６３と、上記吸込用配管部６３内に内装され変形可能であり上記吸込用配管部６３の変形状態を保持する可撓性棒体７５と、上記可撓性棒体７５の外周側に配置され上記可撓性棒体７５を支持するコイルバネ７７と、を具備したもの。【選択図】図１
0003212508.tif 000002
【実用新案登録請求の範囲】
【請求項１】
一端に集塵用吸込口を有する変形可能な吸込用配管部と、
上記吸込用配管部内に内装され変形可能であり上記吸込用配管部の変形状態を保持する可撓性棒体と、
上記吸込用配管部内に内装されたコイルバネと、
を具備したことを特徴とする集塵用吸込具。
【請求項２】
請求項１記載の集塵用吸込具において、
上記コイルバネは上記可撓性棒体の外周側に間隔を存して配置されていることを特徴とする集塵用吸込具。
【請求項３】
請求項１又は請求項２記載の集塵用吸込具において、
上記吸込用配管部は、集塵機に対して直接又は間接に取り付けられる基端側配管と、上記基端側配管に対して着脱可能に連結される蛇腹ホースと、から構成されていて、
上記可撓性棒体は、その基端を上記基端側配管に着脱可能に固定され、その基端から先端にかけての部位が上記蛇腹ホース内に延長されていて、
上記コイルバネは上記蛇腹ホース内に内装されているものであることを特徴とする集塵用吸込具。
【請求項４】
請求項３記載の集塵用吸込具において、
上記基端側配管は鉛直上方に向かって立設されているものであることを特徴とする集塵用吸込具。
【請求項５】
請求項１〜請求項４の何れかに記載の集塵用吸込具において、
上記可撓性棒体は一本であることを特徴とする集塵用吸込具。
【請求項６】
請求項１〜請求項５の何れかに記載の集塵用吸込具において、
上記可撓性棒体は金属製であることを特徴とする集塵用吸込具。
【請求項７】
請求項６記載の集塵用吸込具において、
上記可撓性棒体は、なましの番線であることを特徴とする集塵用吸込具。
【請求項８】
請求項７の集塵用吸込具において、
上記なましの番線の外径は、４ｍｍ〜７ｍｍであることを特徴とする集塵用吸込具。
【請求項９】
吸込用開口部を備えるハウジングと、
上記ハウジング内に収容され、ハウジング内に取り込まれたヒューム中に含まれる有害なガス成分や微粒子を捕捉するフィルタと、
上記ハウジング内に収容され、上記吸込用開口部に吸込風を生起させる吸込ファンと、
上記ハウジングに対して設けられ、上記フィルタによって浄化された空気をハウジング外に排気する排気口と、
を具備し、
上記吸込用開口部には、請求項１〜請求項８の何れかに記載の集塵用吸込具が取り付けられることを特徴とする集塵機。
【請求項１０】
請求項９記載の集塵機において、
上記ハウジングには、上記集塵機の移動を容易にすると共に移動後の集塵機の位置を固定するストッパ付きのキャスタが設けられていることを特徴とする集塵機。
【考案の詳細な説明】
【技術分野】
【０００１】
本考案は、例えば、集塵用吸込具と集塵機に係り、特に、吸込用配管部を容易に変形可能に構成し、且つ、その変形状態を長時間にわたって保持可能とし、それによって、作業効率及び作業環境の向上を図ることができるように工夫したものに関する。
【背景技術】
【０００２】
従来の集塵用吸込具と集塵機を開示するものとして、例えば、特許文献１、特許文献２、等がある。
上記特許文献１に開示されている溶接用の遮光面に取り付けられたヒューム除去装置は次のような構成をなしている。まず、使用者が溶接作業時に屋内作業現場で使用する遮光面があり、この遮光面には集塵用吸込具が取り付けられている。この集塵用吸込具は、モータ付きファンと、モータ付きファンの上流側に接続され上記遮光面の前方にその先端側が配置される可撓性のホースと、この可撓性のホースの先端側に取り付けられた円錐形の吸込部と、上記モータ付きファンの下流側に接続された吐出側の可撓性ホースと、から構成されている。
上記モータ付きファンを回転させると、溶接作業を行う際に飛散するヒュームが上記吸込部及び可撓性のホースを介して吸い込まれ、上記吐出側の可撓性ホースから空中に吐き出される。
また、上記吸込部の位置や角度は上記可撓性のホースを変形させることにより調整可能となっている。
【０００３】
また、上記屋内作業現場の上には、キャノピー型フードが設けられた吸引式の電動送風機が設置されていて、上記集塵用吸込具の可撓性ホースから吐き出されたヒュームは、上記キャノピー型フードを介して吸い込まれ上記屋内作業現場の外に排出される。
【０００４】
また、特許文献２に開示されているヒューム吸引用ノズルを備えた溶接用遮光マスクは次のような構成をなしている。まず、溶接用遮光マスクがあり、この溶接用遮光マスクには吸入管が取り付けられている。この吸入管の先端にヒューム吸引用ノズルが設置され、基端には柔軟な吸入ホースが接続されている。この吸入ホースはツールブロワー式ヒューム回収機に接続されている。
溶接作業時には、上記ツールブロワー式ヒューム回収機を動作させて、飛散するヒュームを上記ヒューム吸引用ノズルを介して吸い込み、上記吸入管及び吸入ホースを介してツールブロワー式ヒューム回収機に回収させる。
【先行技術文献】
【特許文献】
【０００５】
【特許文献１】特開２００１−８７３０５号公報
【特許文献２】特開平１１−２９０３７５号公報
【考案の概要】
【考案が解決しようとする課題】
【０００６】
上記従来の構成によると次のような問題があった。
まず、特許文献１に記載された発明の場合には、遮光面に集塵用吸込具を取り付けた構成になっているため、作業者は作業時に煩わしさを感じてしまい作業効率が低下してしまうという問題があった。
また、可撓性ホースから放出されたヒュームはキャノピー型フードに吸引されるまでは室内を漂うことになり、そのヒュームの一部を作業者が吸い込む虞もあり作業環境が損なわれてしまうという問題もあった。
又、特許文献２に記載された発明の場合にも、ヒューム吸引用ノズルを備えた溶接用遮光マスクを使用するため、同様に、作業者は作業時に煩わしさを感じてしまい作業効率が低下してしまうという問題があった。
【０００７】
本考案はこのような点に基づいてなされたものでその目的とするところは、吸込用配管部を容易に変形可能に構成し、且つ、その変形状態を長時間にわたって安定した状態で保持可能とし、それによって、作業効率及び作業環境の向上を図ることができる集塵用吸込具と集塵機を提供することにある。
尚、本件実用新案登録出願人は前記課題を解決するべく実用新案登録出願を行なっている（実用新案登録第３２０８５４４）。本件実用新案登録出願はそれをさらに改良しようとするものである。
【課題を解決するための手段】
【０００８】
上記目的を達成するべく本願考案の請求項１に記載された集塵用吸込具は、一端に集塵用吸込口を有する変形可能な吸込用配管部と、上記吸込用配管部内に内装され変形可能であり上記吸込用配管部の変形状態を保持する可撓性棒体と、上記吸込用配管部内に内装されたコイルバネと、を具備したことを特徴とするものである。
又、請求項２に記載された集塵用吸込具は、請求項１記載の集塵用吸込具において、上記コイルバネは上記可撓性棒体の外周側に間隔を存して配置されていることを特徴とするものである。
又、請求項３に記載された集塵用吸込具は、請求項１又は請求項２記載の集塵用吸込具において、上記吸込用配管部は、集塵機に対して直接又は間接に取り付けられる基端側配管と、上記基端側配管に対して着脱可能に連結される蛇腹ホースと、から構成されていて、上記可撓性棒体は、その基端を上記基端側配管に着脱可能に固定され、その基端から先端にかけての部位が上記蛇腹ホース内に延長されていて、上記コイルバネは上記蛇腹ホース内に内装されていることを特徴とするものである。
又、請求項４に記載された集塵用吸込具は、請求項３記載の集塵用吸込具において、上記基端側配管は鉛直上方に向かって立設されているものであることを特徴とするものである。
又、請求項５に記載された集塵用吸込具は、請求項１〜請求項４の何れかに記載の集塵用吸込具において、上記可撓性棒体は一本であることを特徴とするものである。
又、請求項６に記載された集塵用吸込具は、請求項１〜請求項５の何れかに記載の集塵用吸込具において、上記可撓性棒体は金属製であることを特徴とするものである。
又、請求項７に記載された集塵用吸込具は、請求項６記載の集塵用吸込具において、上記可撓性棒体は、なましの番線であることを特徴とするものである。
又、請求項８に記載された集塵用吸込具は、請求項７の集塵用吸込具において、上記なましの番線の外径は、４ｍｍ〜７ｍｍであることを特徴とするものである。
又、請求項９に記載された集塵機は、吸込用開口部を備えるハウジングと、上記ハウジング内に収容され、ハウジング内に取り込まれたヒューム中に含まれる有害なガス成分や微粒子を捕捉するフィルタと、上記ハウジング内に収容され、上記吸込用開口部に吸込風を生起させる吸込ファンと、上記ハウジングに対して設けられ、上記フィルタによって浄化された空気をハウジング外に排気する排気口と、を具備し、上記吸込用開口部には、請求項１〜請求項８の何れかに記載の集塵用吸込具が取り付けられることを特徴とするものである。
又、請求項１０に記載された集塵機は、請求項９記載の集塵機において、上記ハウジングには、上記集塵機の移動を容易にすると共に移動後の集塵機の位置を固定するストッパ付きのキャスタが設けられていることを特徴とするものである。
【考案の効果】
【０００９】
以上述べたように本願考案の請求項1による集塵用吸込具によると、一端に集塵用吸込口を有する変形可能な吸込用配管部と、上記吸込用配管部内に内装され変形可能であり上記吸込用配管部の変形状態を保持する可撓性棒体と、上記吸込用配管部内に内装されたコイルバネと、を具備したので、吸込用配管部を容易に変形可能に構成し、且つ、その変形状態を長時間にわたって保持可能とし、それによって、作業効率及び作業環境の向上を図ることができる。
又、請求項２に記載された集塵用吸込具によると、請求項１記載の集塵用吸込具において、上記コイルバネは上記可撓性棒体の外周側に間隔を存して配置されているので、効果的に上記可撓性棒体を支持することができる。
又、請求項３に記載された集塵用吸込具によると、請求項１又は請求項２記載の集塵用吸込具において、上記吸込用配管部は、集塵機に対して直接又は間接に取り付けられる基端側配管と、上記基端側配管に対して着脱可能に連結される蛇腹ホースと、から構成されていて、上記可撓性棒体は、その基端を上記基端側配管に着脱可能に固定され、その基端から先端にかけての部位が上記蛇腹ホース内に延長されていて、上記コイルバネは上記蛇腹ホース内に内装されているものであるので、簡易な構成により変形可能でありその形状を保持できる吸込用配管部を実現できる。
又、請求項４に記載された集塵用吸込具によると、請求項３記載の集塵用吸込具において、上記基端側配管は鉛直上方に向かって立設されているものであるので、仮に、上記蛇腹ホースの基端側を高い位置に設定すれば、上記吸込用配管部が溶接作業の妨げとならないようにすることができる。
又、請求項５に記載された集塵用吸込具によると、請求項１〜請求項４の何れかに記載の集塵用吸込具において、上記可撓性棒体は一本であるので、上記吸込用配管部を簡易な構成とすることができる。
又、請求項６に記載された集塵用吸込具によると、請求項１〜請求項５の何れかに記載の集塵用吸込具において、上記可撓性棒体は金属製であるので、上記可撓性棒体の剛性が良好でより効果的に上記吸込用配管部の形状を保持することができる。
又、請求項７に記載された集塵用吸込具によると、請求項６記載の集塵用吸込具において、上記可撓性棒体は、なましの番線であるので、上記可撓性棒体の柔軟性が高く、上記吸込用配管部の変形を容易とすることができる。
又、請求項８に記載された集塵用吸込具によると、請求項７の集塵用吸込具において、上記なましの番線の外径は、４ｍｍ〜７ｍｍであるので、上記可撓性棒体を容易に変形させることができるとともに上記吸込用配管部の形状を確実に保持することができる。
又、請求項９に記載された集塵機によると、吸込用開口部を備えるハウジングと、上記ハウジング内に収容され、ハウジング内に取り込まれたヒューム中に含まれる有害なガス成分や微粒子を捕捉するフィルタと、上記ハウジング内に収容され、上記吸込用開口部に吸込風を生起させる吸込ファンと、上記ハウジングに対して設けられ、上記フィルタによって浄化された空気をハウジング外に排気する排気口と、を具備し、上記吸込用開口部には、請求項１〜請求項８の何れかに記載の集塵用吸込具が取り付けられるので、集塵機において吸込用配管部を容易に変形可能に構成し、且つ、その変形状態を長時間にわたって保持可能とし、それによって、作業効率及び作業環境の向上を図ることできる。
又、請求項１０に記載された集塵機によると、請求項９記載の集塵機において、上記ハウジングには、上記集塵機の移動を容易にすると共に移動後の集塵機の位置を固定するストッパ付きのキャスタが設けられているので、簡易な構成により、上記集塵機の移動と位置の固定を実現できる。
【図面の簡単な説明】
【００１０】
【図１】本考案の第１の実施の形態を示す図で、集塵機の斜視図である。
【図２】本考案の第１の実施の形態を示す図で、集塵機の集塵機用吸引具の一部を分離した状態を示す分解斜視図である。
【図３】本考案の第１の実施の形態を示す図で、集塵機の正面図である。
【図４】本考案の第１の実施の形態を示す図で、集塵機の側面図である。
【図５】本考案の第１の実施の形態を示す図で、図４のＶ−Ｖ断面図である。
【図６】本考案の第１の実施の形態を示す図で、図３のＶＩ−ＶＩ断面図である。
【図７】本考案の第１の実施の形態を示す図で、図３のＶＩＩ−ＶＩＩ断面図である。
【図８】本考案の第１の実施の形態を示す図で、図３のＶＩＩＩ−ＶＩＩＩ断面図である。
【図９】本考案の第１の実施の形態を示す図で、図３のＩＸ−ＩＸ断面図である。
【図１０】本考案の第１の実施の形態を示す図で、集塵機の使用状態を示す正面図である。
【図１１】本考案の第２の実施の形態を示す図で、集塵用吸込具の取付状態を示す側面図である。
【考案を実施するための形態】
【００１１】
以下、図１乃至図１０を参照しながら本考案の第１の実施の形態について説明する。
この第１の実施の形態による集塵機１は図１に示すような構成になっている。まず、集塵機本体３があり、この集塵機本体３にはハウジング５がある。このハウジング５は、図１中下側が閉塞され図１中上側が開口されたハウジング下部７と、図１中下側が開口され図１中上側が閉塞されたハウジング上部９と、から構成されている。
【００１２】
上記ハウジング下部７の下面には支持板部１１が固着されている。この支持板部１１の後端側（図１中左上側）には車輪取付部１３が図１中上側に突出・形成されている。この車輪取付部１３には車軸１５が固着されており、これら車軸１５の両端側には、車輪１７、１７がそれぞれ回転可能に設置されている。
また、上記ハウジング下部７の前端側（図１中右下側）には、支持ブラケット１９が設置されており、この支持ブラケット１９の下面にはストッパ付きキャスタ２１が設置されている。
【００１３】
また、図２に示すように、上記ハウジング下部７の上記支持ブラケット１９が設置された部分には吸込用開口部２３が形成されている。この吸込用開口部２３には、連結用ダクト２５が固着されている。
また、例えば、図３に示すように、上記ハウジング下部７の内側の上記吸込用開口部２３の近傍には額縁形状のフィルタ取付部２６が設けられている。このフィルタ取付部２６と上記吸込用開口部２３との間には、粒径が大きめの異物を捕捉するフィルタ２６ａが設置されている。上記フィルタ取付部２６には開口部２６ｂが形成されていて、上記吸込用開口部２３から吸い込まれた空気は上記フィルタ２６ａと上記開口部２６ｂを通過して上記ハウジング下部７内に吸引される。
【００１４】
また、図３乃至図７に示すように、上記ハウジング上部９には上側に開口する凹部２７が形成されている。この凹部２７内には、支持ブラケット２９を介してモータ３１、３１が設置されている。また、上記凹部２７内には上記モータ３１、３１によって回転・駆動される吸込ファン３３、３３が設置されている。
【００１５】
また、図３乃至図５に示すように、上記凹部２７の底面側（図３中下側）には貫通孔３５が形成されている。また、図３乃至図５及び図８に示すように、上記凹部２７の下には上記貫通孔３５を覆うように円筒形状のフィルタ３７が支持ブラケット３６を介して設置されている。このフィルタ３７は、有害なガス成分や微粒子を捕捉するものである。また、上記凹部２７の内部と上記ハウジング上部９の内部を連絡する複数の排気口３９が形成されている。また、上記ハウジング上部９の外周側にも複数の排気口４１が形成されている。上記吸込用開口部２３と上記フィルタ２６ａを介して上記ハウジング下部７内に吸い込まれた空気は、上記フィルタ３７を通過して凹部２７内に入り、上記排気口３９を介して上記ハウジング上部９内に入り、上記排気口４１を介して上記ハウジング５の外部に排出される。
【００１６】
また、図１乃至図５に示すように、上記ハウジング上部９にはハンドル支持部材４３が設置されていて、このハンドル支持部材４３は略Ｕ字型の横断面形状に形成されていて、その両側にはハンドル支持部４３、４３が立設されている。上記ハンドル支持部４３、４３間には、ハンドル４７、４７が設置されている。また、上記凹部２７の開口部は上記ハンドル支持ブラケット４５によって閉塞されている。
また、図１及び図２に示すように、上記凹部２７内のモータ３１、３１に電力を供給する電源コード４８が、上記ハンドル支持ブラケット４５に形成された図示しない貫通孔を通って、上記ハウジング上部９の外に引き出されている。上記電源コード４８の先端には電源プラグ４８ａが設置されている。
【００１７】
また、図１乃至図４に示すように、上記ハウジング上部９の外周側には、係止片４９が設置されており、上記ハウジング下部７の外周側にはターンバックル式の止め具５１が回動可能に設置されている。上記ハウジング上部９は上記ハウジング下部７の図１中上側に設置され、上記止め具５１を図１中上側に回動させて上記係止片４９に係合させることで、上記ハウジング上部９と上記ハウジング下部７が固定されている。
また、上記ハウジング上部９には位置決め用凹部５３が形成されており、上記ハウジング下部７には位置決め用凸部５５が形成されていて、上記位置決め用凹部５３に上記位置決め用凸部５５を係合させることで、上記ハウジング下部７に対する上記ハウジング上部９の位置が決定される。
【００１８】
図１に示すように、上記連結用ダクト２５には集塵用吸込具６１が連結されている。例えば、図１に示すように、上記集塵用吸込具６１には吸込用配管部６３がある。この吸込用配管部６３には基端側配管６５があり、この基端側配管６５の基端（図１中下端）は上記連結用ダクト２５に連結されている。また、上記基端側配管６５は上記連結用ダクト２５から鉛直上方に向かって立設されている。また、上記基端側配管６５の先端には短管６７がその一部を上記基端側配管６５内に挿入された状態で固着されている。また、この短管６７の内側には、略円筒形状の支持金具６８が設置されている。
【００１９】
上記吸込用配管部６３には蛇腹ホース７１がある。この蛇腹ホース７１は、上記基端側配管６５の先端側（図１中上端側）に着脱可能に連結されている。上記蛇腹ホース７１の先端側には集塵用吸込口としての吸込フード７３が設置されている。上記蛇腹ホース７１の基端側は上記基端側配管６５の短管６７に被冠・係合されており、その外側はリング状のホースバンド７４によって締結・固定されている。
【００２０】
上記蛇腹ホース７１内には、一本の可撓性棒体７５が設置されている。上記可撓性棒体７５の基端側は上記基端側配管６５の支持金具６８に挿入・固定されている。この可撓性棒体７５は、例えば、金属製のなましの番線であり、その外径は、例えば、４ｍｍ〜７ｍｍ、好ましくは５ｍｍ〜６ｍｍである。この可撓性棒体７５は変形可能であり、且つ、その変形した形状を保持できる特性を備えたものである。そして、上記可撓性棒体７５を任意に変形させることにより上記蛇腹ホース７１も変形させることができ、且つ、その状態を保持することができるようになっている。
【００２１】
また、上記可撓性棒体７５の外周側にはコイルバネ７７が設置されている。上記コイルバネ７７はその内径が上記可撓性棒体７５の外径に対して大きく設定されており、上記可撓性棒体７５の変形を妨げないものとなっている。上記コイルバネ７７によって上記可撓性棒体７５による形状保持機能を助ける構成となっている。例えば、蛇腹ホース７１の外径が大きくなってその重量が増すと、変形した所望の状態を上記可撓性棒体７５のみで保持することが困難になることも予想される。その際、上記コイルバネ７１の真っ直ぐな状態への弾性復帰力が上記可撓性棒体７５による形状保持機能を助けることになる。
【００２２】
次に、この第１の実施の形態による作用を説明する。
図１０に示すように、溶接作業を例に挙げてその作用を説明する。作業者８１は、左手で遮光面８３を把持するともとに右手で溶接機８５を把持して、被溶接対象物８７に対して所望の溶接を施す。上記溶接機８５には溶接棒８９が保持されている。
そして、図１０に示すように、蛇腹ホース７１を変形させて、吸込フード７３を溶接作業が行われる場所の上方に移動させる。このとき、上記蛇腹ホース７１の変形された状態は、可撓性棒体７５とコイルバネ７７によって保持されている。
次に、モータ３１、３１によってファン３３、３３を回転・駆動させ、その後溶接作業を開始する。図１０に示すように、上記溶接作業により発生したヒュームＨは上記吸込フード７３によって上記蛇腹ホース７１内に吸い込まれる。
【００２３】
図５に示すように、上記蛇腹ホース７１内にはヒュームＨとともに、大きめの異物Ｅや微粒子Ｇが吸い込まれている。上記蛇腹ホース７１内に吸い込まれた上記ヒュームＨ、異物Ｅ、及び、微粒子Ｇは、基端側配管６５及び連結用ダクト２５を通過する。その後、吸込用開口部２３から上記ハウジング５内に入り、フィルタ２６ａを通過する際、上記異物Ｅが捕捉される。上記ハウジング５内に吸い込まれた上記ヒュームＨと微粒子Ｇは更にフィルタ３７によって捕捉され、清浄な空気のみが凹部２７内に吸い込まれる。
その後、上記凹部２７内の清浄な空気は、排気口３９から再び上記ハウジング５内に戻った後、排気口４１を介して上記ハウジング５の外に排出される。
【００２４】
次に、この第１の実施の形態による効果について説明する。
まず、蛇腹ホース７１を任意の方向に容易に変形させることができるとともにその変形した状態を確実に、且つ、長期にわたって安定した状態で保持することができる。これは、可撓性棒体７５の外周側にコイルバネ７７を設置したからである。すなわち、上記コイルバネ７７には常時真っ直ぐな状態への弾性復帰力が作用しており、その弾性復帰力が上記可撓性棒体７５による形状保持機能を助けることになる。
より具体的に説明すると、例えば、蛇腹ホース７１の外径が大きくなってその重量が増すと、変形した所望の状態を上記可撓性棒体７５のみで保持することが困難になることも予想される。形状の保持が難しくなると自重により吸込フード７３の位置が徐々に下がってしまうことになる。その際、上記コイルバネ７１の真っ直ぐな状態への弾性復帰力が上記可撓性棒体７５による形状保持機能を助けることになり、それによって、上記吸込フード７３の位置を長期にわたって安定・保持することができる。
【００２５】
蛇腹ホース７１の変形した状態を長期にわたって安定して保持することができるので、作業途中に吸込フード７３の位置を調整するといった煩わしさもなく作業効率を向上させることができる。
勿論、従来のように、遮光面８３に各種吸引具が取り付けられているわけではないので、それによって作業時の煩わしさの解消を図ることができることは勿論である。
また、発生したヒュームＨ、異物Ｅ、及び、微粒子Ｇも確実に吸引・除去されるので、作業環境が損なわれることもない。
また、上記コイルバネ７７の内径は上記可撓性棒体７５の外径よりも大きく設定されているので、上記コイルバネ７７が上記可撓性棒体７５の変形を妨げることはなく、上記可撓性棒体７５、ひいては上記蛇腹ホース７１を柔軟に変形させることができる。
【００２６】
また、上記基端側配管６５は連結用ダクト２５から鉛直上方に向かって立設されているので、上記蛇腹ホース７１の基端側を高い位置に設定して、上記吸込用配管部６３が溶接作業の妨げとならないようにすることができる。
また、上記可撓性棒体７５は、例えば、金属製であるため剛性が高く、長期にわたってその機能を維持することができる。
また、上記可撓性棒体７５は、なましの番線であるので所望の可撓性を得ることができ、変形作業も容易である。
また、上記可撓性棒体７５の外径は４ｍｍ〜７ｍｍに設定されているので、必要な剛性、可撓性、変形容易性を提供することができる。
また、集塵機１にはストッパ付きキャスタ２１が設置されているので、簡易な構成により上記集塵機の移動と位置の固定を実現できる。
【００２７】
次に、図１１を参照しながら本考案の第２の実施の形態について説明する。
前記第１の実施の形態の場合には、集塵機自体が作業現場にある場合を例に挙げて説明したが、この第２の実施の形態の場合には、作業現場とは異なる場所に集塵機或いはより大規模の集塵設備が設置されていて、そこから延長・敷設されているダクト９１に集塵用吸込具９３を連結する構成を例に挙げて説明するものである。
【００２８】
まず、作業現場を区画する壁９５には連結部９７が設置されていて、この連結部９７には集塵用吸込具６３の基端側配管６５が連結されている。すなわち、上記連結部９７には連結用係合凹部９９が形成されており、一方、上記基端側配管６５の先端は連結用係合凸部１０１になっている。この連結用係合凸部１０を上記連結用係合凹部９９内に係合させることにより、上記基端側配管６５が上記連結部９７に連結されている。
【００２９】
また、上記連結部９７の上記壁９５の外側には上記ダクト９１が連結されている。
尚、その他の構成は前記第１の実施の形態の場合と同じであり、図中同一部分には同一符号を付して示しその説明は省略する。
【００３０】
次に、この第２の実施の形態による作用を説明する。
まず、例えば、溶接作業は壁９５の内側（図１１中左側）で行われる。図示しない集塵機或いは集塵設備を起動させると、集塵用吸込具９３を介して上ヒュームＨが吸い込まれ、ダクト９１を介して集塵機或いは集塵設備に集塵される。そして、ヒュームＨは集塵機或いは集塵設備のフィルタによって捕集され、一方、清浄になった空気は外部に放出される。
【００３１】
この第２の実施の形態による集塵用吸込具６１も、前記第１の実施の形態による集塵用吸込具６１と同様の効果を奏する。
【００３２】
尚、本考案は前記第１、第２の実施の形態に限定されない。
前記第１、第２の実施の形態の場合には、可撓性棒体の外周にコイルバネを配置したが、それに限定されるものではなく、吸込用配管部内ではあるが可撓性棒体とは別にコイルバネを設置するような構成も考えられる。
また、可撓性棒体の外径、コイルバネのバネ定数等については様々なケースが考えられる。
また、集塵用吸込具の基端側配管を斜め上方に向けて設置する場合や水平方向に向けて設置する場合も考えられる。また、上記基端側配管を伸縮可能に構成してもよい。
また、コイルバネの断面形状は、円形の他、三角形、四角形、五角形、等の多角形とする場合が考えられ、ばね定数との関係において任意の断面形状が決定される。
また、可撓性棒体の横断面形状についてもこれを特に限定するものではない。また、可撓性棒体を２本以上設置する場合も考えられ、同様に、コイルバネを２本以上設置摺ることも考えられる。
また、集塵機のハウジング上部をハウジング下部に対して回動可能に設置する場合も考えられる。この場合、止め具と係止片は上記ハウジング上部の回動軸と向かい合う側に設置される。
その他、各構成要素の形状、寸法等、図示した構成はあくまで一例である。
【産業上の利用可能性】
【００３３】
本考案は、例えば、集塵用吸込具と集塵機に係り、特に、吸込用配管部を容易に変形可能に構成し、且つ、その変形状態を長時間にわたって保持可能とし、それによって、作業効率及び作業環境の向上を図ることができるように工夫したものに関し、例えば、溶接作業において用いられる集塵機に好適である。
【符号の説明】
【００３４】
１  集塵機
５  ハウジング
２６ａ  フィルタ
３３  ファン
３７  フィルタ
４１  排気口
６１  集塵用吸込具
６３  吸込用配管部
６５  基端側配管
７１  蛇腹ホース
７３  吸込フード（集塵用吸込口）
７５  可撓性棒体
７７  コイルバネ
８３  集塵用吸込具
【図１】
0003212508.tif 000003
【図２】
0003212508.tif 000004
【図３】
0003212508.tif 000005
【図４】
0003212508.tif 000006
【図５】
0003212508.tif 000007
【図６】
0003212508.tif 000008
【図７】
0003212508.tif 000009
【図８】
0003212508.tif 000010
【図９】
0003212508.tif 000011
【図１０】
0003212508.tif 000012
【図１１】
0003212508.tif 000013